(57)【要約】【課題】操作性が良好でありかつ適切なティルト固定力を得ることができる雲台を提供する。【解決手段】雲台１は、固定用切欠部３を有し垂直軸Ｘを中心として左右方向に回動するパン回動体４を備える。雲台１は、固定用切欠部５を有し水平軸Ｙを中心として上下方向に回動するティルト回動体６を備える。雲台１は、被取付物を取付け可能な被取付物支持体７と、ティルト回動体６に回動操作可能に設けた操作体８とを備える。操作体８のワンアクション回動操作で、ティルト回動体６およびパン回動体４をそれぞれ固定する。パン回動体４の固定用切欠部３の先端を変形抑制用の閉塞部２５にて閉塞した。【選択図】　　　　図１
2004125029.tif 000002
【特許請求の範囲】
【請求項１】
固定用切欠部が形成され、垂直軸を中心として左右方向に回動するパン回動体と、
このパン回動体に設けられ、固定用切欠部が形成され、水平軸を中心として上下方向に回動するティルト回動体と、
このティルト回動体に設けられ、被取付物が取り付けられる被取付物支持体と、
前記ティルト回動体に回動操作可能に設けられた操作体とを備え、
前記操作体の回動操作により、前記ティルト回動体および前記パン回動体がそれぞれ弾性変形して前記ティルト回動体の前記固定用切欠部の幅寸法および前記パン回動体の前記固定用切欠部の幅寸法がそれぞれ減少し、前記ティルト回動体および前記パン回動体がそれぞれ固定される雲台であって、
前記パン回動体の前記固定用切欠部の先端が、変形抑制用の閉塞部にて閉塞されている
ことを特徴とする雲台。
【請求項２】
閉塞部は、パン回動体の本体部に一体に設けられている
ことを特徴とする請求項１記載の雲台。
【発明の詳細な説明】
【０００１】
【発明の属する技術分野】
本発明は、操作性が良好であり、かつ、適切なティルト固定力を得ることができる雲台に関する。
【０００２】
【従来の技術】
従来、例えば垂直軸を中心として左右方向に回動するパン回動体と、水平軸を中心として上下方向に回動するティルト回動体と、被取付物（例えばカメラ）が取り付けられる被取付物支持体とを備え、パン回動体がパン固定用操作体の回動操作により固定され、ティルト回動体がティルト固定用操作体の回動操作により固定される雲台が知られている（例えば、特許文献１参照。）。
【０００３】
【特許文献１】
特公平２−８１９３号公報（第２頁、第３図）
【０００４】
【発明が解決しようとする課題】
しかしながら、上記従来の雲台では、ティルト回動体およびパン回動体の固定の際に、２つの操作体を回動操作しなければならないため、操作性が良好であるとはいえないおそれがある。
【０００５】
そこで、パン回動体およびティルト回動体のそれぞれに固定用切欠部を形成して、１つの操作体の回動操作で、ティルト回動体およびパン回動体の固定を行えるようにすることが考えられる。
【０００６】
しかしながら、このような雲台では、パン回動体の固定用切欠部の先端が開口しているため、ティルト回動体およびパン回動体の固定時に、パン回動体の固定用切欠部の幅寸法が必要以上に減少してしまい、それゆえ、適切なティルト固定力が得られないおそれがある。
【０００７】
本発明は、このような点に鑑みなされたもので、操作性が良好であり、かつ、適切なティルト固定力を得ることができる雲台を提供することを目的とする。
【０００８】
【課題を解決するための手段】
請求項１記載の雲台は、固定用切欠部が形成され、垂直軸を中心として左右方向に回動するパン回動体と、このパン回動体に設けられ、固定用切欠部が形成され、水平軸を中心として上下方向に回動するティルト回動体と、このティルト回動体に設けられ、被取付物が取り付けられる被取付物支持体と、前記ティルト回動体に回動操作可能に設けられた操作体とを備え、前記操作体の回動操作により、前記ティルト回動体および前記パン回動体がそれぞれ弾性変形して前記ティルト回動体の前記固定用切欠部の幅寸法および前記パン回動体の前記固定用切欠部の幅寸法がそれぞれ減少し、前記ティルト回動体および前記パン回動体がそれぞれ固定される雲台であって、前記パン回動体の前記固定用切欠部の先端が、変形抑制用の閉塞部にて閉塞されているものである。
【０００９】
そして、操作体の回動操作でティルト回動体およびパン回動体をそれぞれ固定できるため、操作性が良好であり、かつ、パン回動体の固定用切欠部の先端が変形抑制用の閉塞部にて閉塞されているので、ティルト回動体およびパン回動体の固定時にパン回動体の固定用切欠部の幅寸法が必要以上に減少することがなく、適切なティルト固定力が得られる。
【００１０】
請求項２記載の雲台は、請求項１記載の雲台において、閉塞部は、パン回動体の本体部に一体に設けられているものである。
【００１１】
そして、閉塞部がパン回動体の本体部に一体に設けられているので、閉塞部を本体部とは別体にした場合に比べて、部品点数が少なくなり、組立て作業が容易となる。
【００１２】
【発明の実施の形態】
以下、本発明の雲台の一実施の形態の構成を図面を参照して説明する。
【００１３】
図１において、１は雲台で、この雲台１は、例えば三脚等の脚体（図示せず）の上端部に着脱可能に装着されるベース体２と、このベース体２に設けられ、固定用切欠部（すり割部）３が形成され、垂直軸Ｘを中心として左右方向に回動するパン回動体４とを備えている。
【００１４】
また、この雲台１は、パン回動体４の一側部である右側部に設けられ、固定用切欠部（すり割部）５が形成され、左右方向の水平軸Ｙを中心として上下方向に回動するティルト回動体６と、このティルト回動体６の上部に設けられ、カメラ等の被取付物（図示せず）が着脱可能に取り付けられる被取付物支持体（サイドティルト支持台等）７とを備えている。この被取付物支持体７は、前後方向の水平軸Ｚを中心として上下回動調節可能となっている。
【００１５】
さらに、この雲台１は、ティルト回動体６に回動操作可能に設けられた略棒状をなす１つの操作体（操作ハンドル等）８を備えている。
【００１６】
そして、この１つの操作体８の一方向（例えば時計回り）への回動操作により、ティルト回動体６およびパン回動体４がそれぞれ少しだけ弾性変形してティルト回動体６の固定用切欠部５の幅寸法Ａおよびパン回動体４の固定用切欠部３の幅寸法Ｂがそれぞれ減少し、ティルト回動体６およびパン回動体４がそれぞれ固定される（図２および図５参照）。すなわち、パン回動体４は、ベース体２に対して圧着固定され、ティルト回動体６は、パン回動体４に対して圧着固定される。
【００１７】
また、この１つの操作体８の他方向（例えば反時計回り）への回動操作により、ティルト回動体６およびパン回動体４がそれぞれ復元してティルト回動体６の固定用切欠部５の幅寸法Ａおよびパン回動体４の固定用切欠部３の幅寸法Ｂがそれぞれもとの寸法に戻り、パン回動体４に対するティルト回動体６の固定およびベース体２に対するパン回動体４の固定が解除される。
【００１８】
ここで、ベース体２は、図示しない三脚等の脚体の上端部のねじ部に螺着される略丸軸状である略円筒状の垂直支軸部１１を有し、この垂直支軸部１１の下端部には位置決め用の径大部１２が一体に設けられている。
【００１９】
また、パン回動体４は、図１ないし図３に示すように、例えば合成樹脂等にて一体に形成されたものである。
【００２０】
このパン回動体４は、ベース体２の垂直支軸部１１の外周側に左右方向に回動可能に嵌合された略円筒状の嵌合筒部２１を有している。
【００２１】
この嵌合筒部２１の一側部である右側部からは、略丸軸状である略円柱状の水平支軸部２２が右側方に向って一体に突出している。
【００２２】
この水平支軸部２２の外周面には、断面略半円状をなす周方向の溝２３が形成されている。また、この水平支軸部２２には、この水平支軸部２２を前後に２分割する固定用切欠部３が水平支軸部２２の軸心を通る垂直面に沿って形成されている。
【００２３】
そして、この固定用切欠部３の基端（左端）が、嵌合筒部２１の内部空間２４に向って開口し、この嵌合筒部２１の内部空間２４に臨んでいる。また、この固定用切欠部３の先端（右端）が、パン回動体４の水平支軸部２２の先端側の弾性変形を抑制する変形抑制用の閉塞部２５にて閉塞されており、この上下方向に長手状で略板状の閉塞部２５によってパン回動体４の固定用切欠部３の先端側の幅寸法Ｂが必要以上に減少しないようになっている。
【００２４】
また、この水平支軸部２２の基端部には、位置決め用の径大部２６が一体に設けられている。
【００２５】
なお、嵌合筒部２１と水平支軸部２２と径大部２６とにて、パン回動体４の本体部２７が構成されている。そして、パン回動体４の固定用切欠部３の先端を閉塞した閉塞部２５は、その本体部２７に一体に設けられている。すなわち、パン回動体４の閉塞部２５は、本体部２７の水平支軸部２２の先端部に上下方向に沿って一体に設けられ、この水平支軸部２２の先端部と閉塞部２５とにて変形不能な略円形板状の円形部３０が構成されている。
【００２６】
また、ティルト回動体６は、図１、図４および図５に示すように、例えば合成樹脂等にて一体に形成されたものである。
【００２７】
このティルト回動体６は、パン回動体４の水平支軸部２２の外周側に上下方向に回動可能に嵌合された略円筒状の嵌合筒部３１を有している。この嵌合筒部３１の上部からは、略丸軸状である略円筒状の支軸部３２が後方に向って一体に突出している。
【００２８】
また、この嵌合筒部３１の上部後側には、固定用切欠部５が形成されている。そして、この固定用切欠部５の下端が、嵌合筒部３１の内部空間３３に向って開口し、この嵌合筒部３１の内部空間３３に臨んでいる。また、この固定用切欠部５の上端が、上方に向って開口している。
【００２９】
さらに、この嵌合筒部３１の上部には、上下開口状の固定用切欠部５に連通した前後方向の貫通孔３４が形成されている。そして、この貫通孔３４の前端側には、ナット３６が嵌合固着されている。このナット３６には、貫通孔３４に対して後方から挿入された操作体８の前端側が螺着されている。なお、この操作体８の挿入部分の一部分がパン回動体４の水平支軸部２２の溝２３内に位置している。
【００３０】
そして、操作体８の把持部３９を把持してこの操作体８を一方向に所定量回動操作した場合、この操作体８の段部３７がワッシャ３８を介してティルト回動体６の嵌合筒部３１の後面に押し付けられ、これにより、ティルト回動体６の嵌合筒部３１が弾性変形して固定用切欠部５の幅寸法Ａが減少するとともに、パン回動体４が弾性変形して固定用切欠部３の幅寸法Ｂが減少する。その結果、ティルト回動体６がパン回動体４の水平支軸部２２の外周面に対して圧着固定されるとともに、パン回動体４がベース体２の垂直支軸部１１の外周面に対して圧着固定される。
【００３１】
なお、この操作体８を他方向に所定量回動操作すれば、パン回動体４に対するティルト回動体６の固定およびベース体２に対するパン回動体４の固定が解除される。
【００３２】
また、被取付物支持体７は、図１に示すように、例えばクイックシュー方式のもので、ティルト回動体６の支軸部３２の外周側に上下方向に回動可能に嵌合された略円筒状の嵌合筒部４１を有している。
【００３３】
この嵌合筒部４１の上部には、略矩形板状の支持台部４２が一体に設けられている。この支持台部４２にはロック用の回動レバー４３が設けられている。そして、この支持台部４２には、図示しないカメラ等の被取付物が、ねじ４６等が付いたクイックシュー４５を介してワンタッチで取り付けられる。
【００３４】
次に、上記一実施の形態の作用等を説明する。
【００３５】
雲台１の被取付物支持体７に取り付けたカメラ等の被取付物の向きを調整する場合、操作体８を操作することにより、ベース体２に対してパン回動体４を垂直軸Ｘを中心として左右方向に回動させたり、パン回動体４に対してティルト回動体６を水平軸Ｙを中心として上下方向に回動させたりする。
【００３６】
そして、被取付物の向きの調整後、ティルト回動体６およびパン回動体４を固定する場合、操作体８を一方向に回動操作する。
【００３７】
操作体８を一方向に所定量回動操作すると、この操作による締付け力に基づいて、ティルト回動体６およびパン回動体４がそれぞれ弾性変形して、ティルト回動体６の固定用切欠部５の幅寸法Ａおよびパン回動体４の固定用切欠部３の幅寸法Ｂがそれぞれ減少し、その結果、ティルト回動体６およびパン回動体４がそれぞれ略同時に固定される。
【００３８】
このとき、パン回動体４の突出方向先端側の円形部３０は、閉塞部２５の存在にて弾性変形せず、略円形板状のままであるため、パン回動体４の固定用切欠部３の先端側の幅寸法Ｂは必要以上に減少しない。
【００３９】
一方、操作体８を他方向に所定量回動操作することにより、パン回動体４に対するティルト回動体６の固定およびベース体２に対するパン回動体４の固定を略同時に解除することができる。
【００４０】
なお、操作体８の回動操作量の調整により、パン回動体４に対するティルト回動体６の固定のみを解除することもできる。
【００４１】
このようにして、上記一実施の形態によれば、操作体８のワンアクション回動操作で、ティルト回動体６およびパン回動体４をそれぞれ固定できるため、２つの操作体を回動操作する必要がある場合に比べて、操作性が良好である。
【００４２】
また、パン回動体４の固定用切欠部３の先端が変形抑制用の閉塞部２５にて閉塞されているので、ティルト回動体６およびパン回動体４の固定時に、パン回動体４の水平支軸部２２の先端側の弾性変形が抑制されて固定用切欠部３の先端側の幅寸法Ｂが必要以上に減少することがなく、適切なティルト固定力を得ることができる。
【００４３】
しかも、パン回動体４の水平支軸部２２に対するティルト回動体６の固定位置によって、操作体８の回動操作による締付け力が同一でもティルト固定力およびパン固定力が大きく変化するという不具合の発生がなく、ティルト回動体６の固定位置に関係なく、略一定のティルト固定力およびパン固定力を安定的に得ることができる。
【００４４】
さらには、パン回動体４の閉塞部２５がパン回動体４の本体部２７の水平支軸部２２に一体に設けられているので、閉塞部２５を本体部２７とは別体にした場合に比べて、部品点数を少なくでき、組立て作業が容易で、製造コストを低減できる。
【００４５】
なお、雲台１は、パン回動体４の嵌合筒部２１をベース体２の垂直支軸部１１の外周側に回動可能に嵌合するものには限定されず、例えば、パン回動体４の嵌合筒部２１を三脚等の脚体の上端部に形成された垂直支軸部１１に回動可能に嵌合するようなもの等でもよい。
【００４６】
また、パン回動体４の閉塞部２５は、本体部２７に一体に設けられたものには限定されず、本体部２７とは別体のものでもよい。すなわち、パン回動体４の金型成形時に固定用切欠部３の先端を閉塞したものでも、本体部２７の成形後にこの本体部２７に対して別部品を取り付けて固定用切欠部３の先端を後から閉塞したものでもよい。
【００４７】
【発明の効果】
請求項１の発明によれば、操作体の回動操作でティルト回動体およびパン回動体をそれぞれ固定できるため、操作性が良好であり、かつ、パン回動体の固定用切欠部の先端が変形抑制用の閉塞部にて閉塞されているので、ティルト回動体およびパン回動体の固定時にパン回動体の固定用切欠部の幅寸法が必要以上に減少することがなく、適切なティルト固定力を得ることができる。
【００４８】
請求項２の発明によれば、閉塞部がパン回動体の本体部に一体に設けられているので、閉塞部を本体部とは別体にした場合に比べて、部品点数を少なくでき、組立て作業が容易である。
【図面の簡単な説明】
【図１】本発明の雲台の一実施の形態を示す分解斜視図である。
【図２】同上雲台のパン回動体の平面図である。
【図３】同上雲台のパン回動体のＩＩＩ―ＩＩＩ断面図である。
【図４】同上雲台のティルト回動体の斜視図である。
【図５】同上雲台のティルト回動体の一部省略平面図である。
【符号の説明】
１　　雲台
３，５　　固定用切欠部
４　　パン回動体
６　　ティルト回動体
７　　被取付物支持体
８　　操作体
２５　　閉塞部
２７　　本体部
Ｘ　　垂直軸
Ｙ　　水平軸
【図１】
2004125029.tif 000003
【図２】
2004125029.tif 000004
【図３】
2004125029.tif 000005
【図４】
2004125029.tif 000006
【図５】
2004125029.tif 000007